(57)【要約】      （修正有）【課題】通信端末に応じたデータ形式のユーザ・データに変換する機能を有するゲートウェイ、ユーザ・データ変換方法、プログラム、及び通信システムを提供する。【解決手段】ＨＮＢ−ＧＷ４ａは、ＣＮ５とＨＮＢ２との間に接続され、ＨＮＢ２を通じてＵＥ１０と通信する。このＨＮＢ−ＧＷ４ａは、ＵＥ１０の識別情報及び通信端末のＨＮＢ２へのアクセス回数を保持するＵＥ登録情報保持部４５ａと、ＵＥ登録情報保持部４５ａに保持された識別情報及びアクセス回数に応じて、ＵＥ１０毎のクラスを決定するクラス決定部４７ａと、ＵＥ１０のクラスに応じた所定の形式にユーザ・データを変換してＵＥ１０に送信したり、又はＣＮ５に送信するユーザ・データ変換部４９ａとを有する。【選択図】図１
2011124869.tif 000002
【特許請求の範囲】
【請求項１】
コアネットワークと無線基地局との間に接続され、当該無線基地局を通じて通信端末と通信するゲートウェイであって、
前記通信端末の識別情報及び前記通信端末の前記無線基地局へのアクセス回数を保持する第１の登録情報保持部と、
前記第１の登録情報保持部に保持された識別情報及びアクセス回数に応じて、前記通信端末毎のクラスを決定するクラス決定部と、
前記通信端末のクラスに応じた所定の形式にユーザ・データを変換して前記コアネットワークから前記通信端末に送信する及び／又は前記通信端末から前記コアネットワークに送信するユーザ・データ変換部とを有する、ゲートウェイ。
【請求項２】
前記クラス決定部は、
前記識別情報及びアクセス回数に応じて、前記通信端末の点数を算出する判定部と、
点数に応じてクラスが決められたクラス決定テーブルとを有し、
当該クラス決定テーブルを参照して前記通信端末のクラスを決定する請求項１記載のゲートウェイ。
【請求項３】
前記無線基地局の位置情報及び／又はアクセスモード情報を保持する第２の登録情報保持部を更に有し、
前記クラス決定部は、前記第１及び第２の登録情報保持部に保持されている登録情報に基づきクラスを決定する請求項１又は２記載のゲートウェイ。
【請求項４】
前記クラス決定部は、
前記第１及び第２の登録情報保持部に保持されている登録情報に応じて、前記通信端末の点数を算出する判定部と、
点数に応じてクラスが決められたクラス決定テーブルとを有し、
当該クラス決定テーブルを参照して前記通信端末のクラスを決定する請求項３記載のゲートウェイ。
【請求項５】
前記通信端末登録処理時に前記コアネットワークからの応答メッセージに含まれる当該通信端末のステータスを示すステータス情報を保持するステータス保持部を更に有し、
前記クラス決定部は、前記第１及び第２の登録情報保持部に保持されている登録情報及び前記ステータス保持部に保持された前記ステータス情報に基づきクラスを決定する請求項１乃至４のいずれか１項記載のゲートウェイ。
【請求項６】
前記クラス決定部は、
前記第１及び第２の登録情報保持部に保持されている登録情報及び前記ステータス保持部に保持された前記ステータス情報に応じて、前記通信端末の点数を算出する判定部と、
点数に応じてクラスが決められたクラス決定テーブルとを有し、
当該クラス決定テーブルを参照して前記通信端末のクラスを決定する請求項５記載のゲートウェイ。
【請求項７】
前記ユーザ・データ変換部は、前記クラスに応じてデータ形式が決められたユーザ・データ変換テーブルを有し、当該ユーザ・データ変換テーブルを参照して、ユーザ・データを変換する、請求項１乃至６記載のゲートウェイ。
【請求項８】
前記ユーザ・データ変換部は、前記クラスに応じたビットレートに前記ユーザ・データを変換する請求項１乃至７記載のゲートウェイ。
【請求項９】
コアネットワークと無線基地局との間に接続され、当該無線基地局を通じて通信端末と通信するゲートウェイにおけるユーザ・データ変換方法であって、
前記通信端末の識別情報及び前記通信端末の前記無線基地局へのアクセス回数を保持し、
保持された識別情報及びアクセス回数に応じて、前記通信端末毎のクラスを決定し、
前記通信端末のクラスに応じた所定の形式にユーザ・データを変換して前記コアネットワークから前記通信端末に送信する及び／又は前記通信端末から前記コアネットワークに送信する、ユーザ・データ変換方法。
【請求項１０】
前記無線基地局の位置情報及び／又はアクセスモード情報を保持し、
保持された前記無線基地局の位置情報及び／又はアクセスモード情報に基づきクラスを決定する、請求項９記載のユーザ・データ変換方法。
【請求項１１】
前記通信端末登録処理時に前記コアネットワークからの応答メッセージに含まれる当該通信端末のステータスを示すステータス情報を保持し、
前記ステータス保持部に保持された前記ステータス情報とに基づきクラスを決定する、請求項９又は１０記載のユーザ・データ変換方法。
【請求項１２】
前記ユーザ・データを変換する際は、前記クラスに応じたビットレートに前記ユーザ・データを変換する、請求項９乃至１１のいずれか１項記載のユーザ・データ変換方法。
【請求項１３】
コアネットワークと無線基地局との間に接続され、当該無線基地局を通じて通信端末と通信するゲートウェイにおけるユーザ・データ変換処理をコンピュータに実行させるためのプログラムであって、
前記通信端末の識別情報及び前記通信端末の前記無線基地局へのアクセス回数を保持し、
保持された識別情報及びアクセス回数に応じて、前記通信端末毎のクラスを決定し、
前記通信端末のクラスに応じた所定の形式にユーザ・データを変換して前記コアネットワークから前記通信端末に送信する及び／又は前記通信端末から前記コアネットワークに送信する、プログラム。
【請求項１４】
コアネットワークに接続されるゲートウェイと、通信端末と、前記ゲートウェイと通信端末が無線通信するための無線基地局とを有する通信システムであって、
前記ゲートウェイは、
前記通信端末の識別情報及び前記通信端末の前記無線基地局へのアクセス回数を保持する第１の登録情報保持部と、
前記第１の登録情報保持部に保持された識別情報及びアクセス回数に応じて、前記通信端末毎のクラスを決定するクラス決定部と、
前記通信端末のクラスに応じた所定の形式にユーザ・データを変換して前記コアネットワークから前記通信端末に送信する及び／又は前記通信端末から前記コアネットワークに送信するユーザ・データ変換部とを有する、通信システム。
【請求項１５】
前記無線基地局の位置情報及び／又はアクセスモード情報を保持する第２の登録情報保持部を更に有し、
前記クラス決定部は、前記第１及び第２の登録情報保持部に保持されている登録情報に基づきクラスを決定する請求項１４記載の通信システム。
【請求項１６】
前記通信端末登録処理時に前記コアネットワークから送信されるメッセージに含まれる当該通信端末のステータスを示すステータス情報を保持するステータス保持部を更に有し、
前記クラス決定部は、前記第１及び第２の登録情報保持部に保持されている登録情報及び前記ステータス保持部に保持された前記ステータス情報に基づきクラスを決定する請求項１４又は１５記載の通信システム。
【請求項１７】
前記無線基地局は、前記アクセスモードに応じて前記通信端末のアクセスを制御する、請求項１４乃至１６のいずれか１項記載の通信システム。
【請求項１８】
コアネットワークに接続されるゲートウェイと、通信端末と、前記ゲートウェイと通信端末が無線通信するための無線基地局とを有する通信システムにおけるユーザ・データ変換方法であって、
前記無線基地局が前記ゲートウェイに登録リクエストした際に、前記無線基地局の位置情報及び／又はアクセスモード情報を保持し、
前記通信端末が前記無線基地局を介して前記ゲートウェイに登録リクエストした際に、前記通信端末の識別情報及び前記通信端末の前記無線基地局へのアクセス回数を保持し、
前記通信端末が前記コアネットワークと信号リンクを確立するための当該通信端末からのメッセージを前記コアネットワークに転送し、
前記コアネットワークからの応答メッセージに含まれる当該通信端末のステータスを示すステータス情報を保持し、
前記保持された前記無線基地局の位置情報及び／又はアクセスモード情報、前記通信端末の識別情報及び前記通信端末の前記無線基地局へのアクセス回数、並びに前記ステータス保持部に保持された前記ステータス情報に基づき、前記通信端末のクラスを決定し、
前記通信端末のクラスに応じた所定の形式にユーザ・データを変換して前記コアネットワークから前記通信端末に送信する及び／又は前記通信端末から前記コアネットワークに送信する、ユーザ・データ変換方法。
【請求項１９】
コアネットワークとゲートウェイを介して接続されると共に、通信端末と無線通信する無線基地局であって、
前記通信端末の識別情報及び前記通信端末からアクセス回数を保持する第１の登録情報保持部と、
前記第１の登録情報保持部に保持された識別情報及びアクセス回数に応じて、前記通信端末毎のクラスを決定するクラス決定部と、
前記通信端末のクラスに応じた所定の形式にユーザ・データを変換して前記コアネットワークからのデータを前記通信端末に送信する及び／又は前記通信端末からのユーザ・データを前記コアネットワークに送信するユーザ・データ変換部とを有する無線基地局。
【発明の詳細な説明】
【技術分野】
【０００１】
本発明は、コアネットワークと無線基地局との間に接続され、無線基地局を通じて通信端末と通信するゲートウェイ、ゲートウェイを有する通信システム、及び通信システムにおけるユーザ・データ変換方法に関する。
【背景技術】
【０００２】
ＵＥ（User Equipment：端末）は、無線によりＨＮＢ（Home Node B：小型無線基地局）と通信し、ＨＮＢに接続されたＨＮＢ-ＧＷ（Home Node B - Gateway：小型無線基地局ゲートウェイ）を介してＣＮ（Core Network： コアネットワーク）と信号リンクを確立する。
【０００３】
このような通信システムの例として、例えば、特許文献１には、ユーザ端末（ＵＥ）で利用可能なサービスの組合わせ及びその組合わせの優先順位を格納する管理表を無線管理ネットワークとコアネットワークとＵＥとにそれぞれ有し、管理表を基に無線管理ネットワークとコアネットワークとユーザ端末との間でサービスの組合わせ及びその組合わせの優先順位を互いに認識し合う技術が開示されている。
【先行技術文献】
【特許文献】
【０００４】
【特許文献１】特開２００２−０６４８４９号公報
【発明の概要】
【発明が解決しようとする課題】
【０００５】
ところで、ＵＥが、例えばＰＣ向けコンテンツデータにアクセスした場合、ＵＥがそのデータをデコードする機能を有していない場合、ＵＥはそのデータを扱うことができないとい問題が生じる。また、ＵＥ毎に異なるサービスを提供するためには、特許文献１のように、各装置が同一の管理表を持つ等する必要があり、その更新や追加の処理が煩雑である。また、ＵＥがＰＣコンテンツ（動画や画像など）にアクセスした場合、データのサイズやデータの形式によって、正しく表示できない、もしくは全く表示できない状況が生じ得る。また、例えば、ＨＮＢには、３つのアクセスモード（Access Mode）があり、ハイブリッドモード（Hybrid Mode）の場合は、特定のＵＥに対して優先的な（Preferential）な扱いを認めることが検討されており、ＵＥ毎に異なるサービスを提供する技術が必要となっている。
【０００６】
本発明は、このような問題点を解決するためになされたものであり、通信端末に応じたデータ形式のユーザ・データに変換する機能を有するゲートウェイ、ユーザ・データ変換方法、プログラム、及び通信システムを提供することを目的とする。
【課題を解決するための手段】
【０００７】
上述した目的を達成するために、本発明にかかるゲートウェイは、コアネットワークと無線基地局との間に接続され、当該無線基地局を通じて通信端末と通信するゲートウェイであって、前記通信端末の識別情報及び前記通信端末の前記無線基地局へのアクセス回数を保持する第１の登録情報保持部と、前記第１の登録情報保持部に保持された識別情報及びアクセス回数に応じて、前記通信端末毎のクラスを決定するクラス決定部と、前記通信端末のクラスに応じた所定の形式にユーザ・データを変換して前記コアネットワークから前記通信端末に送信する及び／又は前記通信端末から前記コアネットワークに送信するユーザ・データ変換部とを有するユーザ・データ変換部とを有するものである。
【０００８】
また、本発明にかかるユーザ・データ変換方法は、コアネットワークと無線基地局との間に接続され、当該無線基地局を通じて通信端末と通信するゲートウェイにおけるユーザ・データ変換方法であって、前記通信端末の識別情報及び前記通信端末の前記無線基地局へのアクセス回数を保持し、前記保持された識別情報及びアクセス回数に応じて、前記通信端末毎のクラスを決定し、前記通信端末のクラスに応じた所定の形式にユーザ・データを変換して前記コアネットワークから前記通信端末に送信する及び／又は前記通信端末から前記コアネットワークに送信するユーザ・データ変換部とを有するものである。
【０００９】
さらに、本発明にかかるプログラムは、コアネットワークと無線基地局との間に接続され、当該無線基地局を通じて通信端末と通信するゲートウェイにおけるユーザ・データ変換処理をコンピュータに実行させるためのプログラムであって、前記通信端末の識別情報及び前記通信端末の前記無線基地局へのアクセス回数を保持し、前記保持された識別情報及びアクセス回数に応じて、前記通信端末毎のクラスを決定し、前記通信端末のクラスに応じた所定の形式にユーザ・データを変換して前記コアネットワークから前記通信端末に送信する及び／又は前記通信端末から前記コアネットワークに送信するユーザ・データ変換部とを有するものである。
【００１０】
さらにまた、本発明にかかる通信システムは、コアネットワークに接続されるゲートウェイと、通信端末と、前記ゲートウェイと通信端末が無線通信するための無線基地局とを有する通信システムであって、前記ゲートウェイは、前記通信端末の識別情報及び前記通信端末の前記無線基地局へのアクセス回数を保持する第１の登録情報保持部と、前記第１の登録情報保持部に保持された識別情報及びアクセス回数に応じて、前記通信端末毎のクラスを決定するクラス決定部と、前記通信端末のクラスに応じた所定の形式にユーザ・データを変換して前記コアネットワークから前記通信端末に送信する及び／又は前記通信端末から前記コアネットワークに送信するユーザ・データ変換部とを有するユーザ・データ変換部とを有するものである。
【００１１】
また、本発明にかかるユーザ・データ変換方法は、コアネットワークに接続されるゲートウェイと、通信端末と、前記ゲートウェイと通信端末が無線通信するための無線基地局とを有する通信システムにおけるユーザ・データ変換方法であって、前記無線基地局が前記ゲートウェイに登録リクエストした際に、前記無線基地局の位置情報及び／又はアクセスモード情報を保持し、前記通信端末が前記無線基地局を介して前記ゲートウェイに登録リクエストした際に、前記通信端末の識別情報及び前記通信端末の前記無線基地局へのアクセス回数を保持し、前記通信端末が前記コアネットワークと信号リンクを確立するための当該通信端末からのメッセージを前記コアネットワークに転送し、前記コアネットワークからの応答メッセージに含まれる当該通信端末のステータスを示すステータス情報を保持し、前記保持された前記無線基地局の位置情報及び／又はアクセスモード情報、前記通信端末の識別情報及び前記通信端末の前記無線基地局へのアクセス回数、並びに前記ステータス保持部に保持された前記ステータス情報に基づき、前記通信端末のクラスを決定し、前記通信端末のクラスに応じた所定の形式にユーザ・データを変換して前記コアネットワークから前記通信端末に送信する及び／又は前記通信端末から前記コアネットワークに送信するユーザ・データ変換部とを有するものである。
【発明の効果】
【００１２】
本発明によれば、通信端末に応じたデータ形式のユーザ・データに変換する機能を有するゲートウェイ、ユーザ・データ変換方法、プログラム、及び通信システムを提供することができる。
【図面の簡単な説明】
【００１３】
【図１】本発明の実施の形態１にかかる通信システムを示す図である
【図２】本発明の実施の形態１にかかる通信システムの他の例を示す図である。
【図３】本発明の実施の形態１にかかる情報システムの動作を示すシーケンス図である。
【図４】本発明の実施の形態１におけるゲートウェイの判定部４７が有する判定テーブルの一例を示す図である。
【図５】本発明の実施の形態１におけるゲートウェイのステータス保持部４６が有する判定結果保持テーブルの一例を示す図である。
【図６】本発明の実施の形態１におけるゲートウェイのユーザ・データ変換部４９が有するユーザ・データ変換テーブルの一例を示す図である。
【図７】本発明の実施の形態２にかかる情報処理システムの動作を示すシーケンス図である。
【図８】本発明の実施の形態３にかかる情報処理システムを示す図である。
【図９】本発明の実施の形態３にかかる情報処理システムの動作を示すシーケンス図である。
【発明を実施するための形態】
【００１４】
以下、本発明を適用した具体的な実施の形態について、図面を参照しながら詳細に説明する。この実施の形態は、本発明を、コアネットワークと無線基地局との間に接続され、この無線基地局を通じて通信端末と通信するゲートウェイに適用したものである。
【００１５】
本実施の形態においては、ＵＥ（User Equipment）やＨＮＢ（Home Node B）の登録情報に基づいて、ＨＭＢ−ＧＷ（Home Node B Gateway）が、ＰＣ向けコンテンツデータをＵＥ（User Equipment）向けデータに変換すること、を特徴とする。
【００１６】
図１は、本実施の形態にかかる通信システムを示す図である。図１に示すように、本実施の形態にかかる通信システム１ａは、ＵＥ１０、ＨＮＢ２、ＨＮＢ−ＧＷ４ａ、及びＣＮ（Core Network： コアネットワーク）５を有する。ＵＥ１０は、例えば第３世代移動携帯電話（端末）である。ＨＮＢ２は、例えば家庭及び小規模オフィス向けの第３世代小型無線基地局である。また、ＨＮＢ−ＧＷ４ａは、例えばＨＮＢ２をＣＮ５と接続するためのゲートウェイであり、ＣＮ５は、例えば第３世代移動交換網である。
【００１７】
ＨＮＢ−ＧＷ４ａは、ＣＮ５とＨＮＢ２との間に接続され、当該ＨＮＢ２を通じてＵＥ１０と通信する。ここで、ＨＮＢ−ＧＷ４ａは、ＵＥ１０の識別情報及びＵＥ１０のＨＮＢ２へのアクセス回数を保持する第１の登録情報保持部としてのＵＥ登録情報保持部４５ａと、ＵＳ登録情報保持部４５ａに保持された識別情報及びアクセス回数に応じて、ＵＥ１０毎のクラスを決定するクラス決定部４７ａと、ＵＥ１０のクラスに応じた所定の形式にユーザ・データを変換してＵＥ１０に送信したり、ＣＮ５に送信するユーザ・データ変換部４９ａとを有している。
【００１８】
そして、ＵＥ１０がＨＮＢ２を介してＨＮＢ−ＧＷ４ａに登録リクエストした際に、ＵＥ１０の識別情報及びＵＥ１０末のＨＮＢ２へのアクセス回数をＵＥ登録情報保持部４５ａにより保持する。そして、クラス決定部４７ａは、ＵＥ登録情報保持部４５に保持されているＵＥ１０の識別情報及びＵＥ１０末のＨＮＢ２へのアクセス回数に基づき、ＵＥ１０のクラスを決定する。そして、ユーザ・データ変換部４９ａがＵＥ１０のクラスに応じた所定の形式にユーザ・データを変換してＵＥ１０に送信したり、ＣＮ５に送信することで、ＵＥ１０毎に異なるサービスを提供することができる。
【００１９】
ここで、本例においては、ＵＥ１０の識別情報及びＵＥ１０のＨＮＢ２へのアクセス回数に応じてクラスを決定することとしたが、更に異なる情報を使用することも可能である。すなわち、例えば、ＨＮＢ２がＨＮＢ−ＧＷ４ａに登録リクエストした際に、ＨＮＢ２の位置情報やアクセスモード情報を保持し、これを使用してもよい。または、ＨＮＢ−ＧＷ４ａは、ＵＥ１０がＣＮ５と信号リンクを確立するためのＵＥ１０からのメッセージをＣＮ５に転送するが、この際のＣＮ５からの応答メッセージに含まれるＵＥ１０のステータスを示すステータス情報を保持し、これを使用してもよい。このようにＵＥ１０を特定することができる様々な情報を適宜組み合わせてＵＥをクラス分けし、クラスに応じたサービス、例えば、クラスに応じて、所望の通信速度に変換したユーザ・データを提供することができる。なお、クラスに応じたサービスとは、所望の通信速度以外であってもよく、ＵＥの機能・能力に応じたデータフォーマット、圧縮方法などであってもよい。
【００２０】
例えば、動画圧縮コーデックの変換、音声圧縮コーデックの変換、画像圧縮コーデックの変換、又はウェブページの変換等をクラスに応じて行うことができる。具体的には、例えば、動画圧縮コーデックの変換であれば、ＵＥ１０では再生できないＭＰＥＧ（Moving Picture Experts Group）１／ＭＰＥＧ２コーデックをＵＥ１０が再生できる例えばＭＰＥＧ４コーデックに変換する。また、音声圧縮コーデックの変換であれば、ＵＥ１０では再生できないＭＰ３コーデックを、ＵＥ１０で再生できるＡＡＣ（Advanced Audio Coding）コーデックに変換する。また、画像圧縮コーデックの変換であれば、ＵＥ１０では再生せきないＰＮＧ（Portable Network Graphics）コーデックを、ＵＥ１０で再生できるＪＰＥＧ（Joint Photographic Experts Group）コーデックに変換する。さらに、ウェブページの変換であれば、ＵＥ１０では表示できないＨＴＭＬ（Hyper Text Markup Language）をＵＥ１０で表示できるＣＨＴＭＬ（Compact HTML）に変換する。
【００２１】
以下、本実施の形態について更に詳細に説明する。図２は、本実施の形態にかかる通信システムの他の例を示す図である。通信システム１は、ＵＥ１０、ＨＮＢ２、ＨＮＢ−ＧＷ４、及びＣＮ５から構成される点が上述の通信システム１ａと同様であるが、本実施の形態にかかるＨＮＢ−ＧＷ４は、更に詳細にＵＥ１０をクラス分けすることができる。ＨＮＢ−ＧＷ４は、対ＨＮＢ送受信部４０、対ＣＮ送受信部４１、ＲＡＮＡＰ機能部４２、ＨＮＢＡＰ機能部４３、第２の登録情報保持部としてのＨＮＢ登録情報保持部４４、ＵＥ登録情報保持部４５、ステータス保持部（Preferential保持部）４６、判定部４７、判定結果保持部４８、及びユーザ・データ変換部４９を有する。判定部４７及び判定結果保持部４８は、上述のクラス決定部に対応している。
【００２２】
対ＨＮＢ送受信部４０は、ＨＮＢ２と接続するためのインタフェースを有し、ＨＮＢ２との間でデータの送受信を行う。対ＣＮ送受信部４１は、ＣＮと接続するためのインタフェースを有し、ＣＮとの間でデータの送受信を行う。
【００２３】
ＲＡＮＡＰ機能部４２は、3GPP TS25.413で規定されるＲＡＮＡＰ（Radio Access Network Application Part、以下ＲＡＮＡＰと略する）プロトコル機能を実現し、ＲＡＮＡＰメッセージを終端する機能を有する。
【００２４】
ＨＮＢＡＰ機能部４３は、3GPP TS25.469で規定されるＨＮＢＡＰ（HNB application Part、以下ＨＮＢＡＰと略する）プロトコル機能を実現し、ＨＮＢＡＰメッセージを終端する機能を有する。
【００２５】
ＨＮＢ登録情報保持部４４は、ＨＮＢ２がＨＮＢ−ＧＷ４に登録リクエストした際に、ＨＮＢ２の位置情報やアクセスモード情報を保持する。具体的には、ＨＮＢＡＰ: HNB Register Requestメッセージに含まれるＨＮＢのアクセスモードや位置情報を保持する機能を有する。
【００２６】
ＵＥ登録情報保持部４５は、ＵＥ１０がＨＮＢ２を介してＣＮ５に登録リクエストした際に、ＵＥ１０の識別情報及びＵＥ１０のＨＮＢ２へのアクセス回数を保持する。具体的には、ＨＮＢＡＰ:UE Register Requestメッセージ受信時に、ＵＥの識別情報、アクセス回数、在圏するＨＮＢの情報を保持する機能を有する。
【００２７】
ステータス保持部４６は、ＵＥ１０登録処理時にＣＮ５からの応答メッセージに含まれるＵＥ１０のステータスを示すステータス情報を保持する。具体的には、RANAP: Connectメッセージに含まれるCSG membership status情報を保持する機能を有する。
【００２８】
判定部４７は、判定テーブル（図４参照）に基づいて、ＵＥ毎に点数を算出する機能を有する。判定結果保持部４８は、判定結果保持テーブル（図５参照）に基づいて、ＵＥ毎にClassを識別する機能を有する。
【００２９】
ユーザ・データ変換部４９は、ユーザ・データ変換テーブル（図６参照）に基づいて、受信データを変換する機能、を有する。
【００３０】
ここで、ステータス保持部４６のステータスについて説明する。ＨＮＢ２は、３つのアクセスモード（クローズモード、オープンモード、ハイブリッドモード）を有し、ＨＮＢ２２のアクセスモードによって接続可能なＵＥが異なり、また接続したＵＥに応じて優先的（Preferential）な制御を行うことが可能である。
【００３１】
先ず、クローズモード（Close Mode）では、ＨＮＢ２は、Allowed Closed Subscriber Group identifies subscribers List（以下、Allowed CSG listと略する）にそのＨＮＢ２のＣＳＧ  ＩＤを有するＵＥ１０を接続可能とする。オープンモード（Open Mode）では、ＨＮＢ２は、アクセス制限を行わない。また、ハイブリッドモード（Hybrid Mode）では、ＨＮＢは、Allowed CSG ListにそのＨＮＢのＣＳＧ  ＩＤを有するＵＥも、有しない他の通常のＵＥも、接続可能とする。また、Allowed CSG ListにそのＨＮＢのＣＳＧ  ＩＤを持つＵＥに対して、優先的（Preferential）な制御を行うことを可能とする。
【００３２】
また、オペレータはＨＮＢ２へのアクセスを制限するため、ＨＮＢ２にＣＳＧ  ＩＤを設定し、そのＣＳＧ  ＩＤを許可リスト（Allowed CSG list）に有するＵＥのみ、ＨＮＢ２がアクセスを許可し、有しない他のＵＥのアクセスを制限することができる。
【００３３】
このように構成された本実施の形態にかかるＨＮＢ−ＧＷ４においては、以下の機能が新たに設けられている。先ず、第１に、ＨＮＢ  Registration処理時、ＨＮＢ−ＧＷ４は、ＨＮＢ２の登録情報として、ＨＮＢ２の位置情報およびＨＮＢのアクセスモード情報を保持する機能を有する。このため、ＨＮＢ登録情報保持部４４を有する。ＨＮＢ登録情報保持部４４に保持された位置情報やアクセスモード情報は、ＵＥ１０毎の点数をカウントする際に使用され、この点数に応じてクラス分けが行われる。
【００３４】
第２に、ＵＥ Registration処理時、ＨＮＢ−ＧＷ４は、ＵＥ１０の登録情報として、ＵＥ１０の識別情報を保持し、また、そのＵＥ１０のアクセス回数をカウントし、その回数を保持する機能を有す。このため、ＵＥ登録情報保持部４５を有する。ＵＥ登録情報保持部４５に保持された識別情報やアクセス回数も、ＵＥ１０毎の点数をカウントする際に使用され、この点数に応じてクラス分けが行われる。
【００３５】
第３に、ＵＥ Registration処理時、ＨＮＢ−ＧＷ４は、ＣＮ５からのRANAP Connectメッセージに"CSG membership status"情報が含まれていた場合、その情報を保持する機能を有する。このため、ステータス保持部４６を有する。ステータス保持部４６を参照して、"CSG membership status"情報を有するＵＥ１０には加点する等する。
【００３６】
なお、本実施の形態においては、上記第１乃至第３の機能を有するものとして説明するが、いずれか１以上を組み合わせて使用することができることは勿論である。
【００３７】
次に、第４に、ＨＮＢ−ＧＷ４は、第１、第２、第３の機能により保持された情報に基づいて、ＵＥ毎の点数を算出する機能を有する。このため、判定部４７を有する。図４は、判定部４７が有する判定テーブルの一例を示す図である。点数は、アクセスモード毎、ＨＮＢ２の位置情報、アクセス回数毎にそれぞれ点数が割り振られている。
【００３８】
第５に、ＨＮＢ−ＧＷ４は、第４の機能により算出されたＵＥ毎の点数に基づいて、ＵＥをクラス別に識別する機能を有する。このため、判定結果保持部４８を有する。図５は、ステータス保持部４６が有する判定結果保持テーブルの一例を示す図である。本例においては、ＵＥ１はクラス２に、ＵＥ２はクラス３に、ＵＥ３はクラス１に割り振られる。
【００３９】
第６に、ＨＮＢ−ＧＷ４は、ＰＣ向けコンテンツデータを受信した場合、第５の機能により判定されたＵＥのクラスに基づいて、クラス毎に異なるサービスを提供する機能を有する。このため、ユーザ・データ変換部４９を有する。図６は、ユーザ・データ変換部４９が有するユーザ・データ変換テーブルの一例を示す図である。本例においては、クラス１は１００ｋｂｐｓ、クラス２は２００ｋｂｐｓ、クラス３は３００ｋｂｐｓの転送レートのデータに変換されることを示す。
【００４０】
次に、本実施の形態にかかる通信システムの動作について説明する。図３は、本実施の形態にかかる情報システムの動作を示すシーケンス図である。図３に示すように、ＨＮＢ２は、ネットワークへアクセスするための登録処理（HNB Registration処理）を行うため、ＨＮＢ−ＧＷ４へ、HNBAP HNB Register Requestメッセージを送信する（Ｓ１）。このメッセージには、ＨＮＢの位置（Location）情報やアクセスモードに関する情報が含まれている。この時、本実施の形態においては、ＨＮＢ−ＧＷ４はそのメッセージに含まれる情報をＨＮＢ登録情報保持部４４に格納する。ＨＮＢ−ＧＷ４は、登録リクエスト受領（HNBAP:HNB Register Accept）のメッセージをＨＮＢ２に送る（Ｓ２）。
【００４１】
また、ＵＥ１０は、ネットワークへアクセスするための登録処理（UE Registration処理）を行うため、ＲＲＣ:Initial Direct TransferメッセージをＨＮＢ２に送り（Ｓ３）、無線リンクを確立する。ＨＮＢ２は、ＨＮＢ−ＧＷ４へＨＮＢＡＰ:UE Register Requestメッセージを送信する（Ｓ４）。このメッセージには、ＵＥの識別情報に関する情報が含まれている。この時、ＨＮＢ−ＧＷ４はこのメッセージに含まれる情報を、ＵＥ登録情報保持部４５に格納する。また、ＵＥ登録情報保持部４５は、ＵＥ毎に登録が行われた回数をカウントし、保持する。このリクエストに対し、登録リクエスト受領（HNBAP:UE Register Accept）のメッセージをＨＮＢ２に送る（Ｓ５）。
【００４２】
ＨＮＢ２は、ＨＮＢ−ＧＷ４からＨＮＢＡＰ:UE Register Acceptメッセージを受信後、ＣＮ５との間で信号リンクを確立するため、ＲＡＮＡＰ:Connect（Initial ＵＥ）メッセージをＨＮＢ−ＧＷ４へ送信する（Ｓ６）。ＨＮＢ−ＧＷ４はこのメッセージをＣＮ５へ転送する（Ｓ７）。
【００４３】
本実施の形態において、ＣＮ５はＵＥ１０をPreferentialなＵＥとして扱うとした場合、ＣＮ５は、ＨＮＢ−ＧＷ４を介してＨＮＢ２へCSG Membership Status情報を含むＲＡＮＡＰメッセージを送信する（Ｓ８）。この時、ＨＮＢ−ＧＷ４はこのメッセージに含まれるCSG Membership Status情報をステータス保持部４６に保持する。リンクが確立したらＨＮＢ−ＧＷ４は、ＲＡＮＡＰ：ConnectメッセージをＨＮＢ２に送る（Ｓ９）。
【００４４】
また、ＨＮＢ−ＧＷ４は、ＵＥ毎に点数を算出するため、上述したように、図４に示す判定テーブルを有する。この判定テーブルはＨＮＢ２のアクセスモード（オープン／ハイブリッド／クローズ）別に、ＵＥ１０がアクセスしているＨＮＢ２が特定のロケーション（緯度・経度）であるか否か、ＵＥのステータス情報の保持の有無、ＵＥ１０のアクセス回数に基づいて点数が定義されている。ＨＮＢ−ＧＷ４は、判定テーブルに基づいてＵＥの点数を算出するため、ＨＮＢ−ＧＷ４の登録情報保持部４４、ＵＥ登録情報保持部４５、ステータス保持部４６より情報の取得を行う。例えば、ＵＥ１０が、クローズモードで動作し、緯度：４３度経度：１３９度に位置するＨＮＢ２にアクセスを行い、またそのＨＮＢ２に対するアクセス回数が５回目であった場合、図３の判定テーブル従い算出すると、その点数は３点（ＨＮＢ Location一致）＋１点（アクセス回数）＝４点となる。
【００４５】
ＨＮＢ−ＧＷ４は、さらに、判定結果保持部４８に、上述したように、ＵＥがどのクラスに属するかを保持した図５に示す判定結果保持テーブルを有する。この判定結果保持テーブルはＵＥ１０の点数に応じて、そのクラスを決定する。例えば、ＵＥの点数が４点であり、図５の判定結果保持テーブルに従うと、そのクラスは、"２"となる。
【００４６】
その後、ＵＥ１０がＰＣ向けコンテンツ（動画および画像を含む）へのアクセスを要求した場合、ＨＮＢ−ＧＷ４は、コンテンツサーバよりＣＮ５を介してコンテンツデータを受信する（Ｓ１０）。その時、ＨＮＢ−ＧＷ４は、ユーザ・データ変換部４９にてＰＣ向けコンテンツを、ＵＥ１０にて表示・再生できる形式にデータ変換を行う。なお、データ変換の際、ユーザ・データ変換部４８は、判定結果保持部４８に問い合わせを行い、変換するデータの品質（ビットレート）を決定する。例えば、クラス２であれば、中画質（２００ｋｂｐｓ）のデータに変換される。その後、変換されたデータは、ＨＮＢ２を介して、ＵＥ１０へ送信される（Ｓ１１）。
【００４７】
以上説明したように、本実施の形態においては、ＵＥ１０やＨＮＢ２の登録情報に基づいて、ＨＮＢ-ＧＷ４が、例えばＰＣ向けコンテンツデータなどを、ＵＥ１０に応じたデータ形式に変換することが可能になる。
【００４８】
次に、本発明の実施の形態２について説明する。図７は、本実施の形態にかかる情報処理システムの動作を示すシーケンス図である。図７に示すように、Ｓ９までは、図３に示す第１の実施の形態と同様である。その後、ＵＥ１０がデータのアップロードを行っている点が異なる。ＨＮＢ−ＧＷ４がＵＥ１０よりデータを受信したとき（Ｓ２１）、実施の形態１と同様に、判定結果保持部４８のテーブル情報に基づいて、ユーザ・データ変換部４９にてユーザ・データに変換する。例えば、クラス１のＵＥ１０が、３００ｋｂｐｓのビットレートでデータをＨＮＢ−ＧＷ４に転送した場合、上記の例では、ＨＮＢ−ＧＷ４のユーザ・データ変換部４９は、これを１００ｋｂｐｓのビットレートのユーザ・データに変換し、ＣＮ５を介して、コンテンツサーバにデータをアップロードする（Ｓ２２）。
【００４９】
本実施の形態においても、実施の形態１と同様に、ＵＥ１０のクラスに応じて、ＨＮＢ−ＧＷ４は、ユーザ・データについて、例えば、動画圧縮コーデックの変換、音声圧縮コーデックの変換、画像圧縮コーデックの変換、又はウェブページの変換等を行うことができる。
【００５０】
次に、本発明の実施の形態３について説明する。上述の実施の形態１及び２については、ＨＮＢ−ＧＷ４により上記１乃至６の全ての機能を実現することとして説明したが、ＨＮＢ２ｂにより、その全ての機能を実現することも可能である。図７は、本実施の形態にかかる情報処理システムを示す図、図８は、本実施の形態にかかる情報処理システムの動作を示すシーケンス図である。
【００５１】
図７に示すように、本実施の形態にかかる情報処理システム１ｂは、対ＵＥ送受信部２０は、ＵＥ１０と接続するためのインタフェースを有し、ＵＥ１０との間でデータの送受信を行う。対ＨＮＢ−ＧＷ送受信部２１は、ＨＮＢ−ＧＷ４ｂと接続するためのインタフェースを有し、ＨＮＢ−ＧＷ４ｂとの間でデータの送受信を行う。
【００５２】
ＲＡＮＡＰ機能部２２は、3GPP TS25.413で規定されるＲＡＮＡＰプロトコル機能を実現し、ＲＡＮＡＰメッセージを終端する機能を有する。
【００５３】
ＲＲＣ機能部２３は、3GPP TS25.331で規定されるＲＲＣプロトコル機能を実現し、ＲＲＣメッセージを終端する機能を有する。
【００５４】
ＨＮＢ登録情報保持部２４は、ＨＮＢ２の位置情報やアクセスモード情報を保持する。ＵＥ登録情報保持部２５は、ＵＥ１０がＨＮＢ２ｂを介してＣＮ５に登録リクエストした際に、ＵＥ１０の識別情報及びＵＥ１０のＨＮＢ２ｂへのアクセス回数を保持する。具体的には、ＲＲＣ：Initial Direct Transferメッセージ受信時に、ＵＥの識別情報、アクセス回数、在圏するＨＮＢの情報を保持する機能を有する。
【００５５】
ステータス保持部２６は、ＵＥ１０登録処理時にＣＮ５からの応答メッセージに含まれるＵＥ１０のステータスを示すステータス情報を保持する。具体的には、RANAP: Connectメッセージに含まれるCSG membership status情報を保持する機能を有する。
【００５６】
判定部２７は、判定テーブル（図４参照）に基づいて、ＵＥ毎に点数を算出する機能を有する。判定結果保持部２８は、判定結果保持テーブル（図５参照）に基づいて、ＵＥ毎にClassを識別する機能を有する。
【００５７】
ユーザ・データ変換部２９は、ユーザ・データ変換テーブル（図６参照）に基づいて、受信データを変換する機能、を有する。
【００５８】
図９に示すように、ＨＮＢ２ｂは、ネットワークへアクセスするための登録処理（HNB Registration処理）を行うため、ＨＮＢ−ＧＷ４ｂへ、HNBAP HNB Register Requestメッセージを送信する（Ｓ３１）。このメッセージには、ＨＮＢの位置（Location）情報やアクセスモードに関する情報が含まれている。本実施の形態においては、ＨＮＢ２ｂはそのメッセージに含まれる情報を、予めＨＮＢ登録情報保持部２４に格納してている。ＨＮＢ−ＧＷ４ｂは、登録リクエスト受領（HNBAP:HNB Register Accept）のメッセージをＨＮＢ２ｂに送る（Ｓ３２）。
【００５９】
また、ＵＥ１０は、ネットワークへアクセスするための登録処理（UE Registration処理）を行うため、ＲＲＣ:Initial Direct TransferメッセージをＨＮＢ２ｂに送り（Ｓ３３）、無線リンクを確立する。このメッセージには、ＵＥの識別情報に関する情報が含まれている。この時、ＨＮＢ２ｂはこのメッセージに含まれる情報を、ＵＥ登録情報保持部２５に格納する。また、ＵＥ登録情報保持部２５は、ＵＥ毎に登録が行われた回数をカウントし、保持する。ＨＮＢ２ｂは、ＨＮＢ−ＧＷ４ｂへＨＮＢＡＰ:UE Register Requestメッセージを送信する（Ｓ３４）。このリクエストに対し、ＨＮＢ−ＧＷ４ｂは、登録リクエスト受領（HNBAP:UE Register Accept）のメッセージをＨＮＢ２ｂに送る（Ｓ３５）。
【００６０】
ＨＮＢ２ｂは、ＨＮＢ−ＧＷ４ｂからＨＮＢＡＰ:UE Register Acceptメッセージを受信後、ＣＮ５との間で信号リンクを確立するため、ＲＡＮＡＰ:Connect（Initial ＵＥ）メッセージをＨＮＢ−ＧＷ４ｂへ送信する（Ｓ３６）。ＨＮＢ−ＧＷ４ｂはこのメッセージをＣＮ５へ転送する（Ｓ３７）。
【００６１】
本実施の形態において、ＣＮ５はＵＥ１０をPreferentialなＵＥとして扱うとした場合、ＣＮ５は、ＨＮＢ−ＧＷ４ｂを介してＨＮＢ２ｂへCSG Membership Status情報を含むＲＡＮＡＰメッセージを送信する（Ｓ３８）。リンクが確立したらＨＮＢ−ＧＷ４ｂは、ＲＡＮＡＰ：ConnectメッセージをＨＮＢ２ｂに送る（Ｓ３９）。ＨＮＢ２ｂはこのメッセージに含まれるCSG Membership Status情報をPreferential保持部２６に保持する。
【００６２】
また、ＨＮＢ２ｂは、ＵＥ毎に点数を算出するため、上述したように、図４に示す判定テーブルを有する。この判定テーブルはＨＮＢ２ｂのアクセスモード（オープン／ハイブリッド／クローズ）別に、ＵＥ１０がアクセスしているＨＮＢ２ｂが特定のロケーション（緯度・経度）であるか否か、ＵＥのPreferential情報の保持の有無、ＵＥ１０のアクセス回数に基づいて点数が定義されている。ＨＮＢ２ｂは、判定テーブルに基づいてＵＥの点数を算出するため、ＨＮＢ２ｂの登録情報保持部２４、ＵＥ登録情報保持部２５、ステータス保持部２６より情報の取得を行う。
【００６３】
ＨＮＢ２ｂは、さらに、判定結果保持部２８に、上述したように、ＵＥ１０がどのクラスに属するかを保持した図５に示す判定結果保持テーブルを有する。この判定結果保持テーブルはＵＥ１０の点数に応じて、そのクラスを決定する。
【００６４】
その後、ＵＥ１０がＰＣ向けコンテンツ（動画および画像を含む）へのアクセスを要求した場合、ＨＮＢ２ｂは、コンテンツサーバよりＣＮ５を介してコンテンツデータを受信する（Ｓ４０）。その時、ＨＮＢ２ｂは、ユーザ・データ変換部２９にてＰＣ向けコンテンツを、ＵＥ１０にて表示・再生できる形式にデータ変換を行う。なお、データ変換の際、ユーザ・データ変換部２８は、判定結果保持部２８に問い合わせを行い、変換するデータの品質（ビットレート）を決定する。その後、変換されたデータは、ＨＮＢ２ｂから、ＵＥ１０へ送信される（Ｓ４１）。
【００６５】
なお、本発明は上述した実施の形態のみに限定されるものではなく、本発明の要旨を逸脱しない範囲において種々の変更が可能であることは勿論である。例えば、上述の実施の形態１及び２については、ＨＮＢ−ＧＷ４又はＨＮＢ２ｂにより上記１乃至６の全ての機能を実現することとして説明したが、ＨＮＢ−ＧＷ４及びＨＮＢ２でこれらの機能を分担して実現するようにしてもよい。
【００６６】
例えば、上述の実施の形態では、ハードウェアの構成として説明したが、これに限定されるものではなく、任意の処理を、ＣＰＵ（Central Processing Unit）にコンピュータプログラムを実行させることにより実現することも可能である。この場合、コンピュータプログラムは、記録媒体に記録して提供することも可能であり、また、インターネットその他の伝送媒体を介して伝送することにより提供することも可能である。
【符号の説明】
【００６７】
１、１ａ、１ｂ  通信システム
２、２ｂ  ＨＮＢ
４、４ａ、４ｂ  ＨＮＢ−ＧＷ
５  ＣＮ
１０  ＵＥ
４０  対ＨＮＢ送受信部
４１  対ＣＮ送受信部
４２  ＲＡＮＡＰ機能部
４３  ＨＮＢＡＰ機能部
４４  ＨＮＢ登録情報保持部
４５  ＵＥ登録情報保持部
４６  ステータス保持部
４７ａ  クラス決定部
４７  判定部
４８  判定結果保持部
４９、４９ａ  ユーザ・データ変換部
【図１】
2011124869.tif 000003
【図２】
2011124869.tif 000004
【図３】
2011124869.tif 000005
【図４】
2011124869.tif 000006
【図５】
2011124869.tif 000007
【図６】
2011124869.tif 000008
【図７】
2011124869.tif 000009
【図８】
2011124869.tif 000010
【図９】
2011124869.tif 000011